(57)【要約】【課題】    上記問題点を解決し、電動工具に衝撃が伝わることを抑制することができる電動工具を提供することである。  また、ビット収納部をハンドル部の下端から後方に突出する凸部に設けても壊れにくい、コンパクトで操作性の良い電動工具を提供することである。【解決手段】  モータと、モータを収容し前方にビット保持部を有するハウジング胴体部と、該ハウジング胴体部より下方に延びるハンドルと、該ハンドルの下方に設けられる電源供給部と、を有する電動工具であって、前記ハンドルの後方には、前記ハンドルより後方へと突出する弾性体が設けられていることにより、解決することができる。【選択図】  図１
2010005749.tif 000002
【特許請求の範囲】
【請求項１】
モータと、
モータを収容し前方にビット保持部を有するハウジング胴体部と、
該ハウジング胴体部より下方に延びるハンドルと、
該ハンドルの下方に設けられる電源供給部と、を有する電動工具であって、
前記ハンドルの後方には、前記ハンドルより後方へと突出する弾性体が設けられていることを特徴とする電動工具。
【請求項２】
前記弾性体には、ビットを収納可能なビット収納部が設けられていることを特徴とする請求項１記載の電動工具。
【請求項３】
前記ビットには、ビット保持部のボールに係合可能なビット首部を有しており、
前記ビット収納部には、前記ビットの外周を保持可能な内周面と、前記ビット首部と係合可能なストッパとが設けられることを特徴とする請求項２記載の電動工具。
【請求項４】
前記弾性体は、前記ハンドルに設けられる弾性体と一体に形成されることを特徴とする請求項１から請求項３までのいずれか１項記載の電動工具。
【請求項５】
前記ビット保持部でビットを保持する方向と、前記ビット収納部でビットを収納する方向とは略垂直であることを特徴とする請求項２から請求項４までのいずれか１項記載の電動工具。
【請求項６】
前記ビット収納部は、前記ハンドルに着脱可能に設けられることを特徴とする請求項１から請求項３、請求項５のいずれか１項記載の電動工具。
【請求項７】
前記ビットの長さは、ビット収納部のビット収納方向の長さよりも長いことを特徴とする請求項１から請求項６までのいずれか１項記載の電動工具。
【発明の詳細な説明】
【技術分野】
【０００１】
本発明は、電動工具に関する。特に、モータを収容し前方にビット保持部を有するハウジング胴体部と、ハウジング胴体部より下方に延びるハンドルと、ハンドルの下方に設けられる電源供給部とを有する電動工具に関する。
【背景技術】
【０００２】
従来の電動工具として、ハンドルの後方にハウジングと同一の部材がハンドルより後方へと突出するように設けられているものがある。
【０００３】
また、電動工具で所定の作業を行うビットはネジ締め作業で先端を破損させ易いためビット交換を行う必要がある。脚立上や足場上の高所作業でいちいち地上に置いてあるビットに交換するのは煩わしく、ポケット等に交換用ビットを携帯するのはネジ等に紛れて紛失の可能性が高いため、交換用ビットは携帯用工具本体に収納できることが望ましい。
【０００４】
そこで、ビットが挿入されるようハウジングに形成された貫通穴によりビット軸の周方向及び半径方向における揺動を抑制する手段と、貫通穴の内面に弾性変形可能に形成された平板部から貫通穴の内面よりも内側に突出するストッパ部によりビット軸の軸方向の揺動を弾性係止する手段とを有する携帯用工具のビット装着構造の一例がある。加えて特許文献１は、スペース効率を稼ぐために、ビット収納部をバッテリー受け部に設ける構成となっている。例えば、特許文献１を参照。
【０００５】
【特許文献１】特許第４０００９９８号
【発明の開示】
【発明が解決しようとする課題】
【０００６】
従来の電動工具ではハウジングと同一の部材によりハンドルより後方へと突出するように設けられていたため、電動工具を不意に落下させた際などにハウジングへと衝撃が直接伝わる場合があった。このため、電動工具のハウジングには、モータ、電子部品などが収容されており外部からの衝撃を少しでも緩和するような構成とすることが必要である。
【０００７】
また、特許文献１のビット装着構造は、図１０に示すように、バッテリー受け部の前方に設ける場合は良いが、同じ場所に携帯用工具の制御回路基板などを収容し、ビット収納部をバッテリー受け部の後方に設ける場合には、平板部が貫通穴の両側に位置するため、バッテリー受け部のほぼ全幅を後方に突出させる必要があり、携帯用工具が大形化して操作性が悪くなるといった問題点があった。
また、ビット収納部をハンドル部の下端から後方に突出する凸部に設ける場合には、携帯用工具が後方から落下した際にビット収納部が設置面に当たって壊れやすい。更に、ビットを収納する際に貫通穴の開口部周辺にビットの先端を突き当てて、ビット収納部を傷付けやすいといった問題点があった。
【０００８】
本発明の目的は、上記問題点を解決し、電動工具に衝撃が伝わることを抑制することができる電動工具を提供することである。
【０００９】
また、ビット収納部をハンドル部の下端から後方に突出する凸部に設けても壊れにくい、コンパクトで操作性の良い電動工具を提供することである。
【課題を解決するための手段】
【００１０】
モータと、モータを収容し前方にビット保持部を有するハウジング胴体部と、該ハウジング胴体部より下方に延びるハンドルと、該ハンドルの下方に設けられる電源供給部と、を有する電動工具であって、前記ハンドルの後方には、前記ハンドルより後方へと突出する弾性体が設けられていることにより、解決することができる。
【発明の効果】
【００１１】
請求項１記載の電動工具によれば、モータと、モータを収容し前方にビット保持部を有するハウジング胴体部と、該ハウジング胴体部より下方に延びるハンドルと、該ハンドルの下方に設けられる電源供給部と、を有する電動工具であって、前記ハンドルの後方には、前記ハンドルより後方へと突出する弾性体が設けられていることを特徴としたので、電動工具を不意に落下させた際などに、ハンドルの後方に突出する弾性体により衝撃が緩和される。このため、衝撃により電動工具が破損することが少ない電動工具とすることができる。
【００１２】
請求項２記載の電動工具によれば、前記弾性体には、ビットを収納可能なビット収納部が設けられていることを特徴としたので、衝撃を緩和する弾性体によりビットを収納できるようにしたために、新たにビットを保持するために部材を設ける必要がなく、安価でコンパクトな電動工具とすることができる。
【００１３】
請求項３記載の電動工具によれば、前記ビットには、ビット保持部のボールに係合可能なビット首部を有しており、前記ビット収納部には、前記ビットの外周を保持可能な内周面と、前記ビット首部と係合可能なストッパとが設けられることを特徴としたので、ビット首部と係合可能な弾性体のビット収納部に設けられるストッパによりビットを確実に保持することができる電動工具とすることができる。
【００１４】
請求項４記載の電動工具によれば、前記弾性体は、前記ハンドルに設けられる弾性体と一体に形成されることを特徴としたので、作業者がハンドルを把持しやすくなる弾性体を設ける際に、一体に衝撃を緩和するハンドル後方へと突出する弾性体を設けることができ、単純な構造とすることができ安価な電動工具とすることができる。
【００１５】
請求項５記載の電動工具によれば、前記ビット保持部でビットを保持する方向と、前記ビット収納部でビットを収納する方向とは略垂直であることを特徴としたので、ハンドルの後方でコンパクトに構成することができる電動工具とすることができる。
【００１６】
請求項６記載の電動工具によれば、前記ビット収納部は、前記ハンドルに着脱可能に設けられることを特徴としたので、作業者がビット収納部が必要としない際に、取外すことができるために作業者の好みの状態とすることができる電動工具とすることができる。
【００１７】
請求項７記載の電動工具によれば、前記ビットの長さは、ビット収納部のビット収納方向の長さよりも長いことを特徴としたので、ビットをビット収納部より取出す際に、ビットのビット収納部より出ている部分を作業者が掴むことにより容易にビット収納部より取り出すことができる電動工具とすることができる。
【発明を実施するための最良の形態】
【００１８】
以下、本発明の実施の形態につき、図１〜図９に基づいて説明する。本実施の形態は、電動工具の一例としてインパクトドライバを用いて説明する。
【００１９】
図２は、本発明のビット装着構造を適用したインパクトドライバの全体説明図である。インパクトドライバ１は、ハウジング２及びハンマケース３内に、モーター５と、モーター５により回転するギヤ部６と、ギヤ部６にスピンドル７を介在して連結されるハンマ８と、ハンマ８により回転打撃されるアンビル４を有する。ハウジング２は、ハウジング２ａとハウジング２ｂがネジ止めされてなる。ハウジング２には胴体部９と該胴体部９の下方に延設されたハンドル１０が形成されており、ハンドル１０上部内にはスイッチ１１が、下部にはバッテリー受け部１２が配設され、バッテリー受け部１２上部内にはインパクトドライバ１の制御回路基板１３が、下部には電源供給部であるバッテリー１４の一部が夫々配設される。このようにインパクトドライバ１は内部に隙間がないから、ビット収納部１５Ｘ及びネジ１６は操作性上問題の無いハンドル１０の下端から後方に突出した凸部１７に設けられる。
【００２０】
図１はビット収納部１５を備えるインパクトドライバ１の部分説明図である。図１に示すように、凸部１７の上部は左側ハウジング２ａに設けた円筒形状のねじボス１９が右側ハウジング２ｂに形成されたねじボス受け部３０と勘合するように、左右のハウジング２ａ，２ｂを組み合わせ、ネジ１６で固定されている。ねじボス２９には、図示しないストラップなどを取付けることができる。凸部１７の下部にはビット収納部１５が設けられ、該ビット収納部１５Ｘに片頭ビット１８が両端を突出した状態で収納される。２０は片頭ビット１８が嵌合可能でハウジング２ａ，２ｂをモーター５軸と垂直方向に貫通する貫通穴である。２１は凸部１７の表面にハウジング２と一体に形成された、ハウジング２よりも軟質な弾性体である。
【００２１】
２２は片頭ビット１８に凹設された首部、２３は貫通穴２０内側から突設された、首部２２を弾性係止可能な弾性体２１からなるストッパ、２４はビット収納部１５の貫通穴２０の開口部、２５は片頭ビット１７の頭部、２６は片頭ビット１７の後部である。
【００２２】
図３（図２のＡ‐Ａ線相当断面図）に示すように、片頭ビット１８を装着する際は、ストッパ２３が複数設けられているため片頭ビット１８の頭部２５もしくは後部２６のどちらからでも片頭ビット１８軸方向に片頭ビット１８端部を指で押して摺動させれば、貫通穴２０に嵌合すると共に、片頭ビット１８の首部２２にストッパ２３が弾性係止し、片頭ビット１８がビット収納部１５Ｘに組み付けられる。
【００２３】
片頭ビット１８が貫通穴２０に嵌合状態に保持され、片頭ビット１８は片頭ビット１８の周方向と半径方向の揺動が防止される。加えて、首部２２にストッパ２３が弾性係止され片頭ビット１８の軸方向の揺動が防止されるため、合わせて安定性が良い。
【００２４】
次に、図３に示すように片頭ビット１８を引き出す時は、ビット収納部１５の開口部２４のいずれかから片頭ビット１８の端部を指で押してビット軸方向に摺動させれば、ストッパ２３が片頭ビット１８によって押圧されストッパ２３が変形しストッパ２３による係止が解かれるので、片頭ビット１８端部をビット収納部１５から側方へより突出させることができる。その端部を指で挟んで引き出せば、片頭ビット１８がビット収納部１５から引き出される。
【００２５】
貫通穴２０は凸部１７に貫通しているため作業者の利き腕に合わせ着脱し易い方向に片頭ビット１８の抜き差しが可能である。
【００２６】
また、複数のストッパ２３を両頭ビット２７の首部２８の幅に合わせた位置に配設することで両頭ビット２７も装着できる。このように、ビットが略嵌合する貫通穴２０形状のビット収納部１５を設けることで、二方向からビットを着脱でき操作性が良い。
【００２７】
更に、ビット首部２２，２８に弾性係止するストッパ２３により軸方向の揺動を防ぐと共に簡単に着脱でき、しかも、ストッパ２３を複数設けることで首部２２を一つしか持たない片頭ビット１８の頭部と後部のどちらからでも挿入可能であり簡便な操作性を提供できる。
【００２８】
加えて、ハンドル１０下部にバッテリー１４が着脱可能なバッテリー受け部１２を一体に備える電動工具において、ハンドル１０の下端から後方に突出した凸部１７にモーター５枢軸と垂直方向でビット収納部１５を有することでコンパクトな電動工具になる。
【００２９】
更に、図４に示すように、凸部１７の表面にハウジング２よりも軟質な弾性体２１を有するため、インパクトドライバ１が後方から落下した際に凸部１７にかかる衝撃が緩和されて壊れにくくなる。また、図４に示すように地面とインパクトドライバ１が接触する際に、ハウジング２の胴体部の後端部と弾性体１５Ｘとで接触するようにハウジング及び弾性体が構成されている。
【００３０】
図５は、本発明に係る別のビット収納部１５Ｙを備えるインパクトドライバ１の部分説明図であり、図６は図５の凸部１７を後方から見た構造断面図である。
２１は凸部１７の表面にハウジング２と一体に形成された、ハウジング２よりも軟質な弾性体である。したがって、インパクトドライバ１が後方から落下した際に凸部１７にかかる衝撃が緩和されて壊れにくくなる。
【００３１】
２３は貫通穴２０内側に設けられた弾性の平板２９から突設された、首部２２を弾性係止可能なストッパであり、ハウジング２と一体に形成されている。ビット収納部１５Ｙに片頭ビット１８または両頭ビット２７を着脱する際は、首部２２または首部２８に弾性係止するストッパ２３が複数設けられているため、前記した弾性体からなるストッパ２３を有するビット収納構造と同様の効果が得られる。
【００３２】
図７は、本発明に係る別のビット収納部１５を備えるインパクトドライバ１の部分説明図であり、図８は図７の凸部１７を後方から見た構造断面図であり、図９は、ビット装着部１５Ｚを取外し、代わりにストラップ３５とフック３６を備えるインパクトドライバ１の部分説明図である。ビット収納部１５は、ハウジング２から独立した外枠であり、収納部１５Ｚａから上方に延設された取付け部１５ｂが背面視で略Ｔ形をなすように形成されている。ビット収納部１５の下部には、ビット収納部１５Ｚよりも軟質な弾性体２１が設けられている。したがって、インパクトドライバ１が後方から落下した際にビット収納部１５にかかる衝撃が緩和されて壊れにくくなる。また、取付け部１５Ｚｂには、上部貫通穴１５Ｚｃが形成されており、その中に金属製のスリーブ３１が挿入されている。スリーブ３１は図８のように左側ハウジング２ａ、右側ハウジング２ｂにそれぞれ形成された凹部３２ａ、３２ｂに収められ、ハウジング２ａ、２ｂとスリーブ３１を貫通するスリーブ固定ねじ３３とナット３４によって、ハウジング２ａ、２ｂに挟み込まれるように固定されている。したがって、ビット収納部１５Ｚは、スリーブ固定ねじ３３を取外すことにより、スリーブ３１が挿入された状態で凸部１７から容易に取外すことができる。
【００３３】
また、図９に示すように、スリーブ３１をストラップ３５の係留輪３５ａに通すことにより、ビット収納部１５の代わりにストラップ３５を必要に応じて容易に取付けることができる。また、フック３６は、フック取付け部３６ａ、３６ｂとハウジング２ａ、２ｂとスリーブ３１を貫通するスリーブ固定ねじ３３とナット３４によって固定されている。略Ｕ形のフック３６ｃは、インパクトドライバ１を逆さにして単管などに掛けることができる。また、フック３６ｃは、フックベース部３６ｄに回動可能に取付けられており、使用しない場合は、回動軸３６ｅを中心に約９０度回転させた位置（図９の２点鎖線）に固定しておくことが可能であるため、省スペースで使い勝手が良い。
【００３４】
２３は貫通穴２０内側に設けられた弾性の平板２９から突設された、首部２２を弾性係止可能なストッパであり、ビット収納部１５と一体に形成されている。ビット収納部１５に片頭ビット１８または両頭ビット２７を着脱する際は、首部２２または首部２８に弾性係止するストッパ２３が複数設けられているため、前記した弾性体からなるストッパ２３を有するビット収納構造と同様の効果が得られる。
【００３５】
本発明の実施形態では、電源供給部としてバッテリ１４を用いる構成としたが、商用の交流電源のコンセントに差し込まれるプラグを先端に有する電源コードにより電源供給部を構成しても本発明の効果を奏し得ることができるものである。
【００３６】
本発明の実施形態では、ビット収納部を貫通穴２０で形成する構成としたが、貫通穴でなくとも、一部が切り欠いてあるようなビット収納部であっても本発明の効果を奏し得ることができるものである。
【００３７】
最後に、以上説明したビット着脱の構成は、組付け手間が掛からない樹脂と弾性体の一体成形または樹脂一体成形による係止手段を用いているため、例示したインパクトドライバに限らず、ビットを使用する丸のこ、スクリュードライバ、ドライバドリル、圧縮空気で駆動されるエアツールのドライバ等の携帯用工具に幅広く適用できる。
【図面の簡単な説明】
【００３８】
【図１】本発明の電動工具の第１の実施形態を示す要部の斜視外観図
【図２】本発明の電動工具の第１の実施形態を示す一部断面図
【図３】図２のＡ−Ａ線矢視図
【図４】本発明の電動工具の第１の実施形態を示し、落下し着地した状態を示す外観図
【図５】本発明の電動工具の第２の実施形態を示す要部の斜視外観図
【図６】本発明の電動工具の第２の実施形態を示す、図２のＡ−Ａ線矢視相当図
【図７】本発明の電動工具の第３の実施形態を示す要部の斜視外観図
【図８】本発明の電動工具の第３の実施形態を示す、図２のＡ−Ａ線矢視相当図
【図９】本発明の電動工具の第３の実施形態を示し、ビット装着部を取外し、ストラップとフックを取付けた状態を示す斜視外観図
【図１０】従来の電動工具の外観斜視図
【符号の説明】
【００３９】
１  インパクトドライバ、２  ハウジング、５  モータ、１０  ハンドル、１２  バッテリ受け部、１５  ビット収納部、１８  ビット、２０  貫通穴、２１  弾性体、２３  ストッパ、２９  平板、３１  スリーブ
【図１】
2010005749.tif 000003
【図２】
2010005749.tif 000004
【図３】
2010005749.tif 000005
【図４】
2010005749.tif 000006
【図５】
2010005749.tif 000007
【図６】
2010005749.tif 000008
【図７】
2010005749.tif 000009
【図８】
2010005749.tif 000010
【図９】
2010005749.tif 000011
【図１０】
2010005749.tif 000012